(57)【要約】【課題】広告コンテンツごとに視聴者数を測定可能な広告表示装置を提供する。【解決手段】表示部を有し、前記表示部に表示された広告コンテンツの効果を測定するための広告表示装置であって、前記表示部に前記広告コンテンツが表示されているか否かを判別する表示有無判別部と、前記表示部に前記広告コンテンツが表示されていると判別されている場合に、当該広告コンテンツの識別情報を取得する識別情報取得部と、前記識別情報が取得された場合に、前記広告コンテンツが表示されている時間内において撮像部で撮像された前記表示部の視聴者の数を前記識別情報に対応づけて格納する格納部と、を備える。【選択図】図１
2018097465.tif 000002
【特許請求の範囲】
【請求項１】
表示部を有し、前記表示部に表示された広告コンテンツの効果を測定するための広告表示装置であって、
前記表示部に前記広告コンテンツが表示されているか否かを判別する表示有無判別部と、
前記表示部に前記広告コンテンツが表示されていると判別されている場合に、当該広告コンテンツの識別情報を取得する識別情報取得部と、
前記識別情報が取得された場合に、前記広告コンテンツが表示されている時間内において撮像部で撮像された前記表示部の視聴者の数を前記識別情報に対応づけて格納する格納部と、
を備えることを特徴とする広告表示装置。
【請求項２】
前記格納部は、前記表示部の表示が変化した場合には、前記変化の後に取得された前記視聴者の数と前記識別情報とを第１のパラメータとして格納する第１のテーブルと、前記変化の前に取得された前記視聴者の数と前記識別情報とを第２のパラメータとして格納する第２のテーブルとを備え、
前記表示部の表示が変化した場合には、前記第２のパラメータを、当該変化の前において前記第１のテーブルに格納されていた第１のパラメータに書き換えるとともに、前記変化の後に取得した前記視聴者の数と前記識別情報とを第１のパラメータに書き込む出力部と、
前記第１のパラメータ及び前記第２のパラメータとに基づいて識別情報ごとの視聴者の数を演算する演算部と、
をさらに備えることを特徴とする請求項１に記載の広告表示装置。
【請求項３】
前記表示部の表示が変化した場合とは、前記表示部における前記広告コンテンツの表示の有無が変化した場合、又は前記広告コンテンツの識別情報が変更した場合のいずれかであることを特徴とする請求項２に記載の広告表示装置。
【請求項４】
前記演算部は、広告コンテンツが表示されていると判別された場合には、前記第２のテーブルに格納されている識別情報が示す広告コンテンツの視聴者数を、前記第１のテーブルに格納されている視聴者数から前記第２のテーブルに格納されている視聴者数を減算した値とし、前記広告コンテンツが表示されていないと判別された場合には、前記第２のテーブルに格納されている識別情報が示す広告コンテンツの視聴者の数を演算対象外とすることを特徴とする請求項３に記載の広告表示装置。
【発明の詳細な説明】
【技術分野】
【０００１】
本発明は、広告表示装置に関する。
【背景技術】
【０００２】
特許文献１には、看板やデジタルサイネージなどの広告媒体による広告の効果を測定する広告効果測定装置が開示されている。この広告効果測定装置は、広告媒体の前にいる人を、ある一定期間において撮像し、その撮像画像から広告媒体の前にいる人のうち何割が広告を視聴していたかを計測することで広告効果を測定する。
【先行技術文献】
【特許文献】
【０００３】
【特許文献１】特開２０１２−１２３７２７号公報
【発明の概要】
【発明が解決しようとする課題】
【０００４】
ここで、特許文献１に記載の広告効果測定装置は、ある一定期間における視聴者数を集計するものである。そのため、上記広告効果測定装置は、広告媒体において表示される広告コンテンツが切り替わる場合においては、その広告コンテンツごとにどれだけの視聴者数があったかまでは測定することができない。
【０００５】
本発明は、このような事情に鑑みてなされたもので、その目的は、広告コンテンツごとに視聴者数を測定可能な広告表示装置を提供することである。
【課題を解決するための手段】
【０００６】
本発明の一態様は、表示部を有し、前記表示部に表示された広告コンテンツの効果を測定するための広告表示装置であって、前記表示部に前記広告コンテンツが表示されているか否かを判別する表示有無判別部と、前記表示部に前記広告コンテンツが表示されていると判別されている場合に、当該広告コンテンツの識別情報を取得する識別情報取得部と、記識別情報が取得された場合に、前記広告コンテンツが表示されている時間内において撮像部で撮像された前記表示部の視聴者の数を前記識別情報に対応づけて格納する格納部と、を備えることを特徴とする広告表示装置である。
【０００７】
本発明の一態様は、上述の広告表示装置であって、前記格納部は、前記表示部の表示が変化した場合には、前記変化の後に取得された前記視聴者の数と前記識別情報とを第１のパラメータとして格納する第１のテーブルと、前記変化の前に取得された前記視聴者の数と前記識別情報とを第２のパラメータとして格納する第２のテーブルとを備え、前記表示部の表示が変化した場合には、前記第２のパラメータを、当該変化の前において前記第１のテーブルに格納されていた第１のパラメータに書き換えるとともに、前記変化の後に取得した前記視聴者の数と前記識別情報とを第１のパラメータに書き込む出力部と、前記第１のパラメータ及び前記第２のパラメータとに基づいて識別情報ごとの視聴者の数を演算する演算部と、をさらに備えることを特徴とする。
【０００８】
本発明の一態様は、上述の広告表示装置であって、前記表示部の表示が変化した場合とは、前記表示部における前記広告コンテンツの表示の有無が変化した場合、又は前記広告コンテンツの識別情報が変更した場合のいずれかであることを特徴とする。
【０００９】
本発明の一態様は、上述の広告表示装置であって、前記演算部は、広告コンテンツが表示されていると判別された場合には、前記第２のテーブルに格納されている識別情報が示す広告コンテンツの視聴者数を、前記第１のテーブルに格納されている視聴者数から前記第２のテーブルに格納されている視聴者数を減算した値とし、前記広告コンテンツが表示されていないと判別された場合には、前記第２のテーブルに格納されている識別情報が示す広告コンテンツの視聴者の数を演算対象外とすることを特徴とする。
【発明の効果】
【００１０】
以上説明したように、本発明によれば、広告コンテンツごとに視聴者数を測定可能な広告表示装置を提供することができる。
【図面の簡単な説明】
【００１１】
【図１】本発明の一実施形態に係る広告表示装置を備えた広告効果測定システム１の概略構成の一例を示す図である。
【図２】本発明の一実施形態に係る第１のテーブルと第２のテーブルとの概略構成の一例を示す図である。
【図３】本発明の一実施形態に係る第２のテーブルのパラメータを、第１のテーブルに格納されているパラメータに書き換えるイメージ図である。
【図４】本発明の一実施形態に係る広告表示装置４の表示有無判別部４１の処理のフロー図である。
【図５】本発明の一実施形態に係る広告表示装置４のＩＤ付与部４２の処理のフロー図である。
【図６】本発明の一実施形態に係る広告表示装置４の出力部４５の処理のフロー図である。
【図７】本発明の一実施形態に係る広告表示装置４の出力部４５の処理を説明する図である。
【図８】本発明の一実施形態に係る広告表示装置４の演算部４６の演算結果を示す図である。
【図９】本発明の一実施形態に係る広告表示装置４の主要な構成を説明する図である。
【発明を実施するための形態】
【００１２】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１３】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００１４】
以下、本発明の一実施形態に係る広告表示装置を、図面を用いて説明する。
【００１５】
図１は、本発明の一実施形態に係る広告表示装置を備えた広告効果測定システム１の概略構成の一例を示す図である。
図１に示すように、広告効果測定システム１は、広告効果測定装置２、撮像部３及び広告表示装置４を備える。
広告効果測定装置２は、看板やデジタルサイネージなどの広告媒体による広告の効果を測定する。本実施形態では、広告効果測定装置２は、広告表示装置４に表示された広告の効果を測定する。
【００１６】
撮像部３は、顔認識機能を備えている。
撮像部３は、カメラ３１、顔検出部３２及び加算部３３を備える。
カメラ３１は、広告表示装置４が設置されたエリアを撮像する。ここで、広告表示装置４が設置されたエリアとは、広告表示装置４の表示部４０の前面のエリアである。
【００１７】
顔検出部３２は、撮像部３により撮影されたエリアに存在する人物の顔画像を検出する。加算部３３は、顔検出部３２により検出された顔画像から人物を所定の時間ごとに識別し、広告表示装置の表示部４０を見ている人物（視聴者）をカウント（累積加算）する。このカウントされたカウント値は、その表示部４０の視聴者数となる。加算部３３は、表示部４０の視聴者数を広告表示装置４に出力する。
【００１８】
広告表示装置４は、表示部４０を有し、表示部４０に表示された広告コンテンツの効果を測定するための広告表示装置である。この広告表示装置４は、例えば、宣伝広告等を提供するデジタルサイネージ分野で用いられる表示装置である。
【００１９】
図１に示すように、広告表示装置４は、表示部４０、表示有無判別部４１、ＩＤ付与部４２（識別情報取得部）、信号情報格納部４３、テーブル格納部４４（格納部）、出力部４５及び演算部４６を備える。
【００２０】
表示部４０は、液晶パネル、有機エレクトロルミネッセンスパネル等を有する画像表示部であり、広告表示装置４によって画像処理された画像を表示する。表示部４０に表示される画像は、広告コンテンツの画像である。なお、ここで、画像とは動画を含む。
【００２１】
表示有無判別部４１は、表示部４０に広告コンテンツが表示されているか否かを判別する。例えば、表示有無判別部４１は、同期信号がない場合には、表示部４０に広告コンテンツが表示されていないと判別する。
一方、表示有無判別部４１は、同期信号がある場合において、その同期信号が、プリセットタイミングであること、サポートタイミングであること及び所定のレンジ内の信号であることのいずれかの該当する場合には、表示部４０に広告コンテンツが表示されていると判別する。したがって、表示有無判別部４１は、同期信号がある場合において、その同期信号が、プリセットタイミングであること、サポートタイミングであること及び所定のレンジ内の信号であることのいずれにも該当しない場合には、表示部４０に広告コンテンツが表示されていないと判別する。
【００２２】
表示有無判別部４１は、その判別結果をＩＤ付与部４２に出力する。例えば、表示有無判別部４１は、表示部４０に広告コンテンツが表示されていないと判別した場合には、診断結果Ｘとして０を出力する。一方、表示有無判別部４１は、表示部４０に広告コンテンツが表示されていると判別した場合には、診断結果Ｘとして１を出力する。
【００２３】
ＩＤ付与部４２は、表示有無判別部４１によって広告コンテンツが表示されていると判別された場合には、表示部４０に表示されている広告コンテンツの情報（以下、「広告コンテンツ情報」という。）が信号情報格納部４３に登録されているか否かを判定する。この広告コンテンツ情報とは、広告コンテンツの内容を示す情報である。信号情報格納部４３には、所定の広告コンテンツ情報と、その広告コンテンツ情報を識別する識別情報（以下、「コンテンツＩＤ」という。）が予め登録されている。
【００２４】
ＩＤ付与部４２は、表示部４０に表示されている広告コンテンツ情報が信号情報格納部４３に登録されていると判定した場合には、その広告コンテンツ情報のコンテンツＩＤを信号情報格納部４３から取得する。一方、ＩＤ付与部４２は、表示部４０に表示されている広告コンテンツ情報が信号情報格納部４３に登録されていないと判定した場合には、その広告コンテンツ情報を信号情報格納部４３に登録するとともに、その広告コンテンツ情報に新規のコンテンツＩＤを付与する。
【００２５】
このように、ＩＤ付与部４２は、表示有無判別部４１によって広告コンテンツが表示されていると判別された場合には、表示部４０に表示されている広告コンテンツ情報を取得する。そして、ＩＤ付与部４２は、取得した広告コンテンツ情報と、予め信号情報格納部４３に登録されている広告コンテンツ情報とを比較照合する。ＩＤ付与部４２は、取得した広告コンテンツ情報が信号情報格納部４３に登録されている広告コンテンツ情報と一致した場合には、その一致した広告コンテンツ情報のコンテンツＩＤを信号情報格納部４３から取得する。また、ＩＤ付与部４２は、取得した広告コンテンツ情報が信号情報格納部４３に登録されている広告コンテンツ情報と一致しない場合には、新たなコンテンツＩＤを生成し、その生成したコンテンツＩＤを、表示部４０に表示されている広告コンテンツ情報のコンテンツＩＤとする。そして、ＩＤ付与部４２は、その広告コンテンツ情報と生成したコンテンツＩＤとを対応づけて信号情報格納部４３に登録する。
【００２６】
このように、ＩＤ付与部４２は、表示部４０に表示されている広告コンテンツ情報のコンテンツＩＤを取得する。
一方、ＩＤ付与部４２は、表示有無判別部４１によって広告コンテンツが表示されていないと判別された場合には、コンテンツＩＤを０とする。
【００２７】
また、ＩＤ付与部４２は、コンテンツＩＤを取得したタイミングで、そのコンテンツＩＤを取得した時間（以下、「ＩＤ付与時間」という。）を読み出す。なお、例えば、ＩＤ付与部４２は、広告効果測定装置２及び広告表示装置４のいずれかのリアルタイムクロック（ＲＴＣ）からＩＤ付与時間を読み出してもよい。このＩＤ付与時間とは、表示部４０の表示が変化した場合の時間であって、例えば、表示部４０に表示される広告コンテンツが切り替わった時間である。
【００２８】
ＩＤ付与部４２は、取得したコンテンツＩＤと、そのときのＩＤ付与時間とをテーブル格納部４４に出力する。
【００２９】
テーブル格納部４４は、第１のテーブルと第２のテーブルとを有する。この第１のテーブルは、表示部４０の表示状態に変化があった場合に、その変化した状態における広告コンテンツに関連する情報と視聴者数とを記憶するテーブルである。一方、第２のテーブルは、表示部４０の表示状態に変化があった場合に、その変化する前の状態の広告コンテンツに関連する情報と視聴者数とを記憶するテーブルである。この表示状態の変化とは、表示部４０の表示が変化したことであって、例えば、表示部４０に表示される広告コンテンツが変化したことである。
【００３０】
図２は、本発明の一実施形態に係る第１のテーブルと第２のテーブルとの概略構成の一例を示す図である。
本実施形態では、第１のテーブルと第２のテーブルとは、それぞれコンテンツＩＤ、ＩＤ付与時間、視聴者数及び診断結果とをパラメータとして関連づけて格納する。なお、以下において、第１のテーブルに格納するパラメータを第１のパラメータとし、第２のテーブルに格納するパラメータを第２のパラメータと呼ぶことがある。
【００３１】
テーブル格納部４４は、ＩＤ付与部４２からコンテンツＩＤ及びＩＤ付与時間を取得した場合には、そのコンテンツＩＤ及びＩＤ付与時間と、加算部３３から出力される視聴者数と、表示有無判別部４１から出力された診断結果Ｘとを対応づけて第１のテーブルに格納する。
【００３２】
出力部４５は、表示部４０の表示状態に変化があった場合には、第１のテーブルに格納している第１のパラメータを、第２のテーブルに書き込む。すなわち、出力部４５は、表示部４０の表示状態に変化があった場合には、第２のテーブルに格納している第２のパラメータを、第１のテーブルの第１のパラメータに書き換える。そして、出力部４５は、ＩＤ付与部４２からコンテンツＩＤ及びＩＤ付与時間を取得し、その取得したコンテンツＩＤ及びＩＤ付与時間と、加算部３３から出力される視聴者数と、表示有無判別部４１から出力された診断結果Ｘとを対応づけて第１のテーブルに格納する。なお、出力部４５は、テーブル格納部４４に含まれて構成されてもよい。
ここで、表示部４０の表示状態に変化があった場合とは、表示有無判別の診断結果Ｘの値、又はコンテンツＩＤの値に変化があった場合である。
【００３３】
図３は、第２のパラメータを、第１のパラメータに書き換えるイメージ図である。図３（ａ）に示すように、時刻13:50:31に広告コンテンツ（コンテンツＩＤ＝１）が表示部４０に表示された場合には、第１のテーブルには、診断結果（ＸＡ）＝１、コンテンツＩＤ（ＹＡ）＝１、ＩＤ付与時間（ＴＡ）＝13:50:31、視聴者数（ＮＡ）＝１が第１のパラメータとして格納されたとする。
【００３４】
コンテンツＩＤが１の広告コンテンツが表示された後、時刻13:50:37に次の広告コンテンツ(コンテンツＩＤ＝２)が表示されたとする。この場合には、図３（ｂ）に示すように、出力部４５は、第２のテーブルの第２のパラメータを第１のテーブルの第１のパラメータに書き換えるともに、第１のテーブルに時刻13:50:37の広告コンテンツのパラメータ（診断結果（ＸＡ）＝１、コンテンツＩＤ（ＹＡ）＝２、ＩＤ付与時間（ＴＡ）＝13:50:37、視聴者数（ＮＡ）＝５）が第１のパラメータとして格納される。
【００３５】
出力部４５は、第１のテーブルに格納されたパラメータと、第２のテーブルに格納されたパラメータとを、表示部４０の表示状態が変化するごとに、演算部４６に出力する。
【００３６】
演算部４６は、出力部４５から出力されたパラメータを用いて、広告コンテンツごとの視聴者数Ｎを集計する。
具体的には、演算部４６は、表示部４０に表示された広告コンテンツの表示時間（コンテンツ表示時間）Ｔと、その広告コンンツごとの視聴者数Ｎとを演算する。例えば、演算部４６は、第１のテーブルに格納されたＩＤ付与時間（ＴＡ）から第２のテーブルに格納されたＩＤ付与時間（ＴＢ）を減算した値に、第２のテーブルに格納された診断結果（ＸＢ）を乗算した値を、コンテンツ表示時間Ｔ（＝（ＴＡ−ＴＢ）×ＸＢ）とする。
【００３７】
また、例えば、演算部４６は、第１のテーブルに格納された視聴者数（ＮＡ）から第２のテーブルに格納された視聴者数（ＮＢ）を減算した値に、第２のテーブルに格納された診断結果（ＸＢ）を乗算した値を、視聴者数Ｎ（＝（ＮＡ−ＮＢ）×ＸＢ）とする。
したがって、図３に示す場合を例にとると、コンテンツＩＤが１である広告コンテンツのコンテンツ表示時間Ｔが0:00:06となり、視聴者数が４人となる。
【００３８】
ここで、入力信号の切り替え時、あるいは表示装置側の故障の場合に、第２のテーブルのパラメータである診断結果（ＸＢ）は必ず０となる。そのため、コンテンツ表示時間Ｔ、視聴者数Ｎの出力は、ともに広告コンテンツが表示部４０に表示されていない場合は０となる。したがって、その出力とコンテンツＩＤとを紐付することで視聴者数の集計データから除外することが出来る。
このように、演算部４６は、広告コンテンツが表示されていると判別された場合には、第２のテーブルに格納されているコンテンツＩＤが示す広告コンテンツの視聴者数を、第１のテーブルに格納されている視聴者数から第２のテーブルに格納されている視聴者数を減算した値とし、広告コンテンツが表示されていないと判別された場合には、第２のテーブルに格納されているコンテンツＩＤが示す広告コンテンツの視聴者の数を演算対象外とする。
【００３９】
演算部４６は、演算した広告コンテンツごとの視聴者数Ｎを広告効果測定装置２に出力する。
【００４０】
以下に、本発明の一実施形態に係る広告表示装置４の表示有無判別部４１の処理の流れについて、説明する。図４は、本発明の一実施形態に係る広告表示装置４の表示有無判別部４１の処理のフロー図である。
【００４１】
表示有無判別部４１は、表示部４０に広告コンテンツが表示されているか否かを判別する。例えば、表示有無判別部４１は、同期信号があるか否かを判別する（ステップＳ１０１）。表示有無判別部４１は、同期信号がある場合には、その同期信号がプリセットタイミングであるか否かを判別する（ステップＳ１０２）。一方、表示有無判別部４１は、同期信号がない場合には、広告コンテンツが表示部４０に表示されていないと判別する（ステップＳ１０５）。
【００４２】
表示有無判別部４１は、同期信号がプリセットタイミングであると判別した場合には、広告コンテンツが表示部４０に表示されていると判別する（ステップＳ１０７）。表示有無判別部４１は、同期信号がプリセットタイミングではないと判別した場合には、同期信号がサポートタイミングであるか否かを判別する（ステップＳ１０３）。
【００４３】
表示有無判別部４１は、同期信号がサポートタイミングであると判別した場合には、広告コンテンツが表示部４０に表示されていると判別する（ステップＳ１０７）。表示有無判別部４１は、同期信号がサポートタイミングではないと判別した場合には、同期信号が所定のレンジ内であるか否かを判別する（ステップＳ１０４）。
【００４４】
表示有無判別部４１は、同期信号が所定のレンジ内であると判別した場合には、広告コンテンツが表示部４０に表示されていると判別する（ステップＳ１０７）。表示有無判別部４１は、同期信号が所定のレンジ内ではないと判別した場合には、広告コンテンツが表示部４０に表示されていないと判別する（ステップＳ１０５）。
【００４５】
表示有無判別部４１は、広告コンテンツが表示部４０に表示されていないと判別した場合には、診断結果として０を出力する（ステップＳ１０６）。一方、表示有無判別部４１は、広告コンテンツが表示部４０に表示されていると判別した場合には、診断結果として１を出力する（ステップＳ１０８）。
【００４６】
以下に、本発明の一実施形態に係る広告表示装置４のＩＤ付与部４２の処理の流れについて、説明する。図５は、本発明の一実施形態に係る広告表示装置４のＩＤ付与部４２の処理のフロー図である。
【００４７】
ＩＤ付与部４２は、表示有無判別部４１から出力される診断結果が１であるか否かを判定する（ステップＳ２０１）。ＩＤ付与部４２は、表示有無判別部４１から出力される診断結果が１であると判定した場合には、表示部４０に表示されている広告コンテンツ情報が信号情報格納部４３に登録されているか否かを判定する（ステップＳ２０２）。
【００４８】
ＩＤ付与部４２は、表示部４０に表示されている広告コンテンツ情報が信号情報格納部４３に登録されていると判定した場合には、その信号情報格納部４３に登録されている、当該広告コンテンツ情報のコンテンツＩＤを取得する（ステップＳ２０３）。
【００４９】
そして、ＩＤ付与部４２は、コンテンツＩＤを取得したタイミングで、ＩＤ付与時間を読み出す（ステップＳ２０４）。
一方、ＩＤ付与部４２は、表示部４０に表示されている広告コンテンツ情報が信号情報格納部４３に登録されていないと判定した場合には、新規のコンテンツＩＤを生成することで、その広告コンテンツ情報のコンテンツＩＤを取得する。また、ＩＤ付与部４２は、その広告コンテンツ情報を信号情報格納部４３に登録するとともに、その広告コンテンツ情報に新規のコンテンツＩＤを付与する（ステップＳ２０５）。そして、ＩＤ付与部４２は、新規のコンテンツＩＤを付与したタイミングで、ＩＤ付与時間を読み出す（ステップＳ２０６）。
【００５０】
ＩＤ付与部４２は、表示有無判別部４１によって広告コンテンツが表示されていないと判別された場合には、コンテンツＩＤを０とする。
ＩＤ付与部４２は、表示有無判別部４１から出力される診断結果が１でないと判定した場合には、コンテンツＩＤを０として取得する（ステップＳ２０７）。
ＩＤ付与部４２は、取得したコンテンツＩＤ及びＩＤ付与時間をテーブル格納部４４に出力する（ステップＳ２０８）。
【００５１】
以下に、本発明の一実施形態に係る広告表示装置４の出力部４５の処理の流れについて、説明する。図６は、本発明の一実施形態に係る広告表示装置４の出力部４５の処理のフロー図である。
【００５２】
出力部４５は、表示有無判別部４１から出力される診断結果Ｘに変化があったか否かを判定する（ステップＳ３０１）。出力部４５は、表示有無判別部４１から出力される診断結果Ｘに変化がなかった場合には、ＩＤ付与部４２から出力されるコンテンツＩＤに変化があったか否かを判定する（ステップＳ３０２）。出力部４５は、ＩＤ付与部４２から出力されるコンテンツＩＤに変化がなかった場合には、再度、本処理を繰り返す。
【００５３】
一方、出力部４５は、表示有無判別部４１から出力される診断結果Ｘに変化があった場合、又はＩＤ付与部４２から出力されるコンテンツＩＤに変化があった場合には、第２のテーブルの第２のパラメータを、第１のテーブルの第１のパラメータに書き換える（ステップＳ３０３）。そして、出力部４５は第１のテーブルに、新たに取得したパラメータ（コンテンツＩＤ、ＩＤ付与時間、視聴者数及び診断結果）を第１のパラメータとして書き込む（ステップＳ３０４）。
【００５４】
そして、出力部４５は、第１のテーブルに格納されたパラメータと、第２のテーブルに格納されたパラメータとを演算部４６に出力する（ステップＳ３０５）。
【００５５】
ここで、図７は、本発明の一実施形態に係る広告表示装置４の出力部４５の処理を説明する図である。図７に示すように、広告コンテンツ情報が変化するごとに、第２のテーブルのパラメータは、第１のテーブルに格納されているパラメータに書き換わる。そして、第１のテーブルには、新たに取得したパラメータが書き込まれる。そして、出力部４５は、広告コンテンツ情報が変化するごとに、第１のテーブルに格納されたパラメータと、第２のテーブルに格納されたパラメータとを演算部４６に出力する（第１の出力から第５の出力）。
【００５６】
演算部４６は、図８に示すように、第１の出力から第５の出力に基づいて、広告コンテンツごとの視聴者数Ｎを集計する。したがって、広告コンテンツごとの累計表示時間と累計視聴者数が把握可能となり、ユーザーがどのコンテンツを積極的に視聴しているかを単位時間当たりの視聴者数で割り出すことで分析することもできる。
また、広告表示装置４は、広告コンテンツ情報に変化があった場合に、すなわち、表示有無判別の診断結果Ｘの値、又はコンテンツＩＤの値に変化があった場合にのみ、視聴者数を出力するため、無駄なデータの出力を削減することができる。
【００５７】
上述したように、本実施形態に係る広告表示装置４は、表示部４０を有し、その表示部４０に表示された広告コンテンツの効果を測定するための広告表示装置である。広告表示装置４は、表示部４０に広告コンテンツが表示されているか否かを判別する表示有無判別部４１と、表示部４０に広告コンテンツが表示されていると判別されている場合に、当該広告コンテンツの識別情報（コンテンツＩＤ）を取得するＩＤ付与部４２と、識別情報（コンテンツＩＤ）が取得された場合に、撮像部３で撮像された表示部４０の視聴者の数を識別情報（コンテンツＩＤ）に対応づけて格納するテーブル格納部４４と、を備える。これにより、広告表示装置４は、広告コンテンツごとに視聴者数を測定可能とすることができる。
【００５８】
ここで、従来において、広告効果測定装置と広告表示装置との間は、信号ケーブルで接続される。したがって、この信号ケーブルのケーブル長が長い場合には、広告表示装置自体の内部処理のタイムラグが生じてしまい、視聴者数をカウントしている広告コンテンツと、実際にユーザーが見ている広告コンテンツとが異なる可能性がある。その結果、従来では、正確に視聴人数のカウントが出来ない場合がある。
一方、本実施形態に係る広告表示装置４は、表示部４０に広告コンテンツが表示されているか否かを判別する表示有無判別部４１を備えることで、実際に表示部４０に広告コンテンツが表示された事象のみをカウント対象とすることができる。すなわち、表示部４０に広告コンテンツが表示されているか否かを判別する機能を広告表示装置４に持たせることにより、広告表示装置４は、実際に広告コンテンツが表示された時のみを集計対象とすることが出来る。これにより、視聴者数をカウントしている広告コンテンツと、実際にユーザーが見ている広告コンテンツとが異なることを低減でき、正確に視聴人数のカウントすることができる。
【００５９】
また、従来において、異なる広告コンテンツを広告表示装置に表示するために、その広告コンテンツの入力信号の切り替えを行う場合には、広告表示装置で入力信号の切り替え処理が発生する。そのため、上述のタイムラグはより顕著になる。さらに、従来において、広告表示装置に不具合があり、正しく広告コンテンツが表示されていない場合、広告表示装置は、ユーザーが広告表示装置に広告コンテンツが表示されていないことが気になって広告表示装置側を見ている場合を「積極的に視聴している」と誤判別する可能性がある。一方、本実施形態に係る広告表示装置４は、信号切り替え時、あるいは表示装置側の故障の場合には、コンテンツ表示時間、視聴者数をともに０とする。これにより、それらの信号切り替えや故障時を集計対象から除外することができる。
【００６０】
また、上述の実施形態において、テーブル格納部４４は、表示部４０の表示が変化した場合には、その変化後に取得された視聴者の数と識別情報とを第１のパラメータとして格納する第１のテーブルと、その変化前に取得された視聴者の数と識別情報とを第２のパラメータとして格納する第２のテーブルとを備える。そして、出力部４５は、表示部４０の表示が変化した場合には、第２のパラメータを、当該変化前において第１のテーブルに格納されていた第１のパラメータに書き換える。そして、演算部４６は、記第１のパラメータ及び第２のパラメータとに基づいて識別情報ごとの視聴者の数を演算する。
【００６１】
次に、本発明の一実施形態に係る広告表示装置４の主要な構成について、説明する。
図９は、本発明の一実施形態に係る広告表示装置４の主要な構成を説明する図である。
図９に示すように、本発明の一実施形態に係る広告表示装置４は、表示有無判別部４１、ＩＤ付与４２（識別情報取得部）及びテーブル格納部４４（格納部）を備える。
表示有無判別部４１は、表示部４０に広告コンテンツが表示されているか否かを判別する。ＩＤ付与４２は、表示部４０に広告コンテンツが表示されていると判別されている場合に、当該広告コンテンツの識別情報を取得する。テーブル格納部４４は、識別情報が取得された場合に、広告コンテンツが表示されている時間内において撮像部３で撮像された表示部４０の視聴者の数を識別情報に対応づけて格納する。
【００６２】
上述した実施形態における広告表示装置４をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６３】
以上、この発明の実施形態について図面を参照して詳述してきたが、具体的な構成はこの実施形態に限られるものではなく、この発明の要旨を逸脱しない範囲の設計等も含まれる。
【００６４】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００６５】
１  広告効果測定システム
２  広告効果測定装置
３  撮像部
４  広告表示装置
３１  カメラ
３２  顔検出部
３３  加算部
４０  表示部
４１  表示有無判別部
４２  ＩＤ付与部（識別情報取得部）
４３  信号情報格納部
４４  テーブル格納部（格納部）
４５  出力部
４６  演算部
【図１】
2018097465.tif 000003
【図２】
2018097465.tif 000004
【図３】
2018097465.tif 000005
【図４】
2018097465.tif 000006
【図５】
2018097465.tif 000007
【図６】
2018097465.tif 000008
【図７】
2018097465.tif 000009
【図８】
2018097465.tif 000010
【図９】
2018097465.tif 000011